(57)【要約】【課題】  ファンハウジングを絶縁樹脂で形成した電動送風機においても、ボールベアリングの電食を十分に防止できる電動送風機を提供することにある。【解決手段】  ファンケース１１、ウエブ１５及びモータケース１３を樹脂射出成形により一体に形成してファンハウジング１を構成する。接地された電磁ノイズガード９とボールベアリング５の外輪５ａが接続されたベアリングホルダ３とをファンハウジング１にインサート成形された導電路部材１７により電気的に接続する。【選択図】  図２
2010206984.tif 000002
【特許請求の範囲】
【請求項１】
吸い込み口と吐き出し口とを有する風洞を備えた絶縁樹脂製のファンケースと、
モータのステータが固定されるモータケースと、
前記モータケースに取り付けられた金属製のベアリングホルダと、
外輪と内輪との間に潤滑油を介して複数の転動体が配置されて構成され且つ前記ベアリングホルダ内に前記外輪が嵌合され、前記内輪内に前記モータの回転軸が嵌合された金属製の１以上のボールベアリングと、
前記ファンケースと前記モータケースとを連結する複数本のウエブと、
前記モータの金属製の回転軸に固定されて前記風洞内で回転するインペラと、
前記ファンケースの前記吸い込み口または前記吐き出し口に対して設けられて接地された金属製の電磁ノイズガードとを具備し、
前記電磁ノイズガードと前記ベアリングホルダとが電気的に接続されていることを特徴とする電動送風機。
【請求項２】
前記ファンケース、前記ウエブ及び前記モータケースは、樹脂射出成形により一体に形成されてファンハウジングを構成しており、
前記電磁ノイズガードと前記ベアリングホルダとを電気的に接続する電気的接続手段は、前記ファンハウジングにインサート成形されて前記ベアリングホルダと前記電磁ノイズガードとに電気的に導通可能に接続された導電路部材を含んでいることを特徴とする請求項１に記載の電動送風機。
【請求項３】
ベアリングホルダに保持された金属製の１以上のボールベアリングにより支持された金属製の回転軸を有するモータと、
前記回転軸に固定されたインペラと、
吸い込み口と吐き出し口とを有して前記インペラが内部で回転する風洞を備え且つ前記ベアリングホルダが固定された絶縁樹脂製のファンハウジングと、
前記風洞の前記吸い込み口または前記吐き出し口に対して設けられて接地された金属製の電磁ノイズガードとを備え、
前記電磁ノイズガードと前記１以上のボールベアリングの外輪とが電気的に接続されていることを特徴とする電動送風機。
【請求項４】
前記ベアリングホルダは金属によって形成されており、
前記電磁ノイズガードと前記１以上のボールベアリングの外輪とを電気的に接続する電気的接続手段は、前記ファンハウジングにインサート成形されて前記ベアリングホルダと前記電磁ノイズガードとに電気的に導通可能に接続された導電路部材を含んでいることを特徴とする請求項３に記載の電動送風機。
【請求項５】
前記ベアリングホルダは金属によって形成されており、
前記電磁ノイズガードと前記１以上のボールベアリングの外輪とを電気的に接続する電気的接続手段は、前記ファンハウジングの外表面に沿って配置されて前記ベアリングホルダと前記電磁ノイズガードとに電気的に導通可能に接続された導電路部材を含んでいることを特徴とする請求項３に記載の電動送風機。
【請求項６】
前記電磁ノイズガードは、
前記吸い込み口またが吐き出し口と対向する金属製の１以上の閉ループ導体と、
前記閉ループ導体を保持する導体保持手段とを具備していることを特徴とする請求項１〜５のいずれか１つに記載の電動送風機。
【発明の詳細な説明】
【技術分野】
【０００１】
本発明は電気機器の冷却等に用いる電動送風機に関するものである。
【背景技術】
【０００２】
特開２００３−１１１３４１号公報（特許文献１）には、ファンケースと、ベアリングホルダを備えるモータケースと、１以上のボールベアリングと、ハウジングとモータケースとを連結する複数本のウエブと、モータの回転軸に固定させて回転するインペラとを備えたファンモータ（電動送風機）が示されている。ファンケース、ベアリングホルダ、モータケース、ボールベアリング及び複数本のウエブは、金属により形成されている。そして、ボールベアリングは、外輪と内輪との間に潤滑油を介して複数の転動体が配置され且つベアリングホルダ内に外輪が嵌合されて構成されている。このような電動送風機では、電磁ノイズが発生する環境下で長い期間にわたって使用すると、ボールベアリングに電食が発生し、外輪または内輪の転動体に対向する軌道面に凹凸ができて、騒音が発生する原因となる。そこで、特許文献１に示された電動送風機では、ファンケースの吸い込み口または吐き出し口に、接地された電磁ノイズガードを設けて電磁ノイズがモータ内部に侵入するのを防いでいる。
【先行技術文献】
【特許文献】
【０００３】
【特許文献１】特開２００３−１１１３４１号公報
【発明の概要】
【発明が解決しようとする課題】
【０００４】
このような電動送風機としては、ファンケース、モータケース及びウエブのファンハウジングを樹脂射出成形等の手段によって絶縁樹脂で形成したものも多用されている。この場合においても、ファンケースの吸い込み口または吐き出し口に接地された電磁ノイズガードを設けてボールベアリングに電食が発生するのを防止することが考えられる。しかしながら、このような電動送風機では、電磁ノイズガードを設けてもボールベアリングの電食を十分に防止することができなかった。
【０００５】
本発明の目的は、ファンハウジングを絶縁樹脂で形成した電動送風機においても、ボールベアリングの電食を十分に防止できる電動送風機を提供することにある。
【課題を解決するための手段】
【０００６】
本発明の電動送風機は、吸い込み口と吐き出し口とを有する風洞を備えた絶縁樹脂製のファンケースと、モータのステータが固定されるモータケースと、モータケースに取り付けられた金属製のベアリングホルダと、外輪と内輪との間に潤滑油を介して複数の転動体が配置されて構成され且つベアリングホルダ内に外輪が嵌合され、内輪内にモータの回転軸が嵌合された金属製の１以上のボールベアリングと、ファンケースとモータケースとを連結する複数本のウエブと、モータの金属製の回転軸に固定されて風洞内で回転するインペラと、ファンケースの吸い込み口または吐き出し口に対して設けられて接地された金属製の電磁ノイズガードとを具備している。そして、電磁ノイズガードとベアリングホルダとが電気的に接続されている。なお、「接地された電磁ノイズガード」とは、電磁ノイズガードが接地されているものであればよく、電磁ノイズガードに直接的に接地手段が設けられていなくてもかなわない。例えば、電磁ノイズガードに電気的に接続された導電路を利用して接地してもよい。また、「電磁ノイズガード」とは、電動送風機内に電磁ノイズが侵入するのを防止するガード部材である、
本願発明者は、ファンケース等を絶縁樹脂で形成した電動送風機に電磁ノイズガードを設けても、電磁ノイズガードで吸収できなかった電磁ノイズによってボールベアリングの外輪と内輪との間で電位差が生じてボールベアリングに電食が発生することを見いだした。本発明では、接地された電磁ノイズガードと、ボールベアリングの外輪が嵌合されたベアリングホルダとを電気的に接続することにより、ボールベアリングの外輪を接地することができる。その結果、ボールベアリングの外輪と内輪との間に発生する電位差を小さくして、ボールベアリングに電食が発生するのを防止することができる。
【０００７】
一般にファンケース、ウエブ及びモータケースは、樹脂射出成形により一体に形成されてファンハウジングを構成する場合が多い。この場合、電磁ノイズガードとベアリングホルダとを電気的に接続する電気的接続手段を、ファンハウジングにインサート成形されてベアリングホルダと電磁ノイズガードとに電気的に導通可能に接続された導電路部材を含むように構成できる。このようにすれば、インサート成形により電気的接続手段をファンハウジングに簡単に設けることができる。また、電気的接続手段をファンハウジングの中に埋設できるため、電気的接続手段の配置作業が不要になる利点がある。
【０００８】
ベアリングホルダが導電性を有しない材料により構成される場合や、ベアリングホルダとベアリングとの間に接着剤層が介在する場合がある。このような電動送風機も、ベアリングホルダに保持された金属製の１以上のボールベアリングにより支持された金属製の回転軸を有するモータと、回転軸に固定されたインペラと、吸い込み口と吐き出し口とを有してインペラが内部で回転する風洞を備え且つベアリングホルダが固定された絶縁樹脂製のファンハウジングと、風洞の吸い込み口または吐き出し口に対して設けられて接地された金属製の電磁ノイズガードとを備えて構成されている。この場合には、電磁ノイズガードと１以上のボールベアリングの外輪とを電気的に接続すればよい。
【０００９】
なお本発明は、回転軸の軸線方向に空気を送る軸流ファンモータ及び回転軸の軸線方向と直交する方向に空気を送るシロッコファンモータのいずれにも適用することができる。
【００１０】
また、電磁ノイズガードと１以上のボールベアリングの外輪とを電気的に接続する電気的接続手段は、ファンハウジングの外表面に沿って配置されてベアリングホルダと電磁ノイズガードとに電気的に導通可能に接続された導電路部材を含んでいてもよい。
【００１１】
電磁ノイズガードは、種々のものを採用できる。例えば、吸い込み口または吐き出し口と対向する金属製の１以上の閉ループ導体と、閉ループ導体を保持する導体保持手段とを具備するものを用いることができる。このような電磁ノイズガードを用いれば、ファンの風の吸入・吐出機能に殆ど影響を与えることなく、軸受に到来する電磁ノイズを低減できる。また、電磁ノイズガードにより、モータ内に指が入るのを防止するフィンガーガードを構成することもできる。
【図面の簡単な説明】
【００１２】
【図１】ファンモータに適用した本発明の一実施の形態の電動送風機を模式的に表した平面図である。
【図２】図１をII−II線で切断した断部を模式的に表した断面図である。
【図３】図１に示す電動送風機に用いる電磁ノイズガードの平面図である。
【図４】図１に示す電動送風機の等価回路図である。
【図５】本発明の他の実施の形態の電動送風機を模式的に表した断面図である。
【図６】本発明の更に他の実施の形態の電動送風機を模式的に表した断面図である。
【図７】本発明の更に別の実施の形態の電動送風機を模式的に表した断面図である。
【図８】シロッコファンモータに適用した本発明の実施の形態の電動送風機を模式的に表した断面図である。
【図９】本発明の他の実施の形態の電動送風機に用いる電磁ノイズガードの平面図である。
【図１０】近傍に電磁ノイズを発生する装置を配置しない場合における、電磁ノイズガード及び導電路部材を設けない電動送風機のボールベアリングの外輪と内輪との電位差と時間との関係を示す図である。
【図１１】近傍に電磁ノイズを発生する整流器を配置した場合における、電磁ノイズガード及び導電路部材を設けない電動送風機のボールベアリングの外輪と内輪との電位差と時間との関係を示す図である。
【図１２】図１１の一部の電位差を拡大した図である。
【図１３】近傍に電磁ノイズを発生する整流器及びインバータを配置した場合における、電磁ノイズガード及び導電路部材を設けない電動送風機のボールベアリングの外輪と内輪との電位差と時間との関係を示す図である。
【図１４】図１３の一部の電位差を部分拡大した図である。
【図１５】近傍に電磁ノイズを発生する装置を配置しない場合における、電磁ノイズガードのみを設け、導電路部材を設けない電動送風機のボールベアリングの外輪と内輪との電位差と時間との関係を示す図である。
【図１６】電磁ノイズガード側の近傍に電磁ノイズを発生する整流器を配置した場合における、電磁ノイズガードのみを設け、導電路部材を設けない電動送風機のボールベアリングの外輪と内輪との電位差と時間との関係を示す図である。
【図１７】図１６の一部の電位差を拡大した図である。
【図１８】電磁ノイズガード側の近傍に電磁ノイズを発生する整流器及びインバータを配置した場合おける、電磁ノイズガードのみを設け、導電路部材を設けない電動送風機のボールベアリングの外輪と内輪との電位差と時間との関係を示す図である。
【図１９】図１８の一部の電位差を拡大した図である。
【図２０】近傍に電磁ノイズを発生する装置を配置しない場合における、電磁ノイズガード及び導電路部材を設けた電動送風機のボールベアリングの外輪と内輪との電位差と時間との関係を示す図である。
【図２１】電磁ノイズガード側の近傍に電磁ノイズを発生する整流器を配置した場合における、電磁ノイズガード及び導電路部材を設けた電動送風機のボールベアリングの外輪と内輪との電位差と時間との関係を示す図である。
【図２２】図２１の一部の電位差を拡大した図である。
【図２３】電磁ノイズガード側の近傍に電磁ノイズを発生する整流器及びインバータを配置した場合おける、電磁ノイズガード及び導電路部材を設けた電動送風機のボールベアリングの外輪と内輪との電位差と時間との関係を示す図である。
【図２４】図２３の一部の電位差を拡大した図である。
【発明を実施するための形態】
【００１３】
以下、図面を参照して本発明の実施の形態の一例を詳細に説明する。図１は、ファンモータに適用した本発明の一実施の形態の電動送風機を模式的に表した平面図であり、図２は、図１をII−II線で切断した断部を模式的に表した断面図である。両図に示すように、本実施の形態の電動送風機は、ファンハウジング１と、ベアリングホルダ３と、２個のボールベアリング５と、回転体７と、電磁ノイズガード９とを有している。ファンハウジング１は、ファンケース１１と、モータケース１３と、４本のウエブ１５と有しており、絶縁樹脂を用いた樹脂射出成形により一体に形成されている。ファンハウジング１内には、導電路部材１７がインサート成形されている。導電路部材１７の構成については、後に詳細に説明する。ファンケース１１は、吸い込み口１９ａと吐き出し口１９ｂとを有する風洞１９を備えており、四隅に貫通孔１１Ａ〜１１Ｄがそれぞれ形成されている。モータケース１３は、風洞１９の中央に配置されており、モータのステータ２１が固定されている。４本のウエブ１５は、モータケース１３の中心から放射状に延びて、ファンケース１１とモータケース１３とを連結している。
【００１４】
ベアリングホルダ３は、金属製の円筒形状を有しており、モータケース１３及びステータ２１に固定されている。ベアリングホルダ３の内部には、２個の金属製のボールベアリング５が固定されている。ボールベアリング５は、外輪５ａと内輪５ｂとの間に潤滑油を介して複数の転動体５ｃが配置されて構成されている。そして、外輪５ａは、ベアリングホルダ３内に嵌合され、内輪５ｂ内には、後述するモータの回転軸２３が嵌合されている。これにより、回転軸２３は、モータケース１３に回転自在に支持されている。
【００１５】
回転体７は、金属製の回転軸２３とインペラ２５とを有している。インペラ２５は、中心に回転軸２３が固定されるカップ状部材２７と、カップ状部材２７の外周部に取り付けられた複数のブレード２９とを有している。カップ状部材２７の内周部には、ステータ２１に対向する複数の永久磁石３１が取り付けられている。このような構成により、インペラ２５は、風洞１９内で回転し、吸い込み口１９ａから吐き出し口１９ｂに空気が流れる。
【００１６】
ファンケース１１に設けられた電磁ノイズガード９は、金属によって形成されており、図２及び図３に示すように、２枚の金属支持板３１，３３からなる導体保持手段と、２枚の金属支持板３１及び３３に溶接により固定されて保持される３本の閉ループ導体３５，３７，３９とから構成されている。３本の閉ループ導体３５，３７，３９は、モータの軸線方向の端面と所定の間隔をあけて対向している。２枚の金属支持板３１，３３は、ほぼ直線状に並んでおり、それぞれの一端に貫通孔３１ａ，３３ａが形成されている。２枚の金属支持板３１，３３は、貫通孔３１ａ，３３ａをそれぞれ貫通し、ファンケース１１の四隅の対向する２つの貫通孔１１Ａ，１１Ｃにそれぞれ挿入されるネジ４７により、ファンケース１１の吸い込み口１９ａ側に対して設けられている。
【００１７】
３本の閉ループ導体３５，３７，３９は、同心的に配置されており、２枚の金属支持板３１，３３の裏面に、溶接により固定されている。
【００１８】
前述したように、ファンハウジング１内には、インサート成形された導電路部材１７が配置されている。導電路部材１７は、図４の回路図に示すように、電磁ノイズガード９とベアリングホルダ３とを電気的に導通可能に接続する電気的接続手段を構成している。なお、図４の回路図において、Ｅは電磁ノイズであり、Ｆは、電源フィルターである。導電路部材１７は、金属により形成されたものからなり、ファンケース１１の内部に配置された部分（ファンケース内部分）４１と、４本のウエブ１５の内の１本のウエブ１５の内部に配置された部分（ウエブ内部分）４３と、モータケース１３の内部に配置された部分（モータケース内部分）４５とを一体に有している。ファンケース内部分４１は、電磁ノイズガード９を固定するネジ４７が挿入された２つの貫通孔１１Ａ，１１Ｃの内の１つの貫通孔１１Ａを内部に形成する円筒形を有している。ファンケース内部分４１の一端は、電磁ノイズガード９に接触している。また、ファンケース内部分４１の内部には、金属製のネジ４７が挿入されている。このため、金属製のネジ４７によっても、ファンケース内部分４１は、電磁ノイズガード９と電気的に接続されている。また、本例では、ファンケース内部分４１は、図示しない手段により接地されている。これにより、電磁ノイズガード９及び導電路部材１７は、いずれも接地されることになる。なお、本例では、導電路部材１７側を接地したが、電磁ノイズガード９側を接地してもかまわない。モータケース内部分４５の端部４５ａは、ベアリングホルダ３を囲む環状を有しており、ベアリングホルダ３の外周に接触している。ウエブ内部分４３は、ファンケース内部分４１とモータケース内部分４５とを連結している。このような構成により、導電路部材１７は、電磁ノイズガード９とベアリングホルダ３とを電気的に導通可能に接続している。
【００１９】
本例の電動送風機によれば、電磁ノイズガード９と、ボールベアリング５の外輪５ａが嵌合されたベアリングホルダ３とを導電路部材１７で電気的に導通可能に接続し、電磁ノイズガード９及び導電路部材１７を接地するので、ボールベアリング５の外輪５ａを接地することができる。その結果、ボールベアリング５の外輪５ａと内輪５ｂとの間で電位差を小さくして、ボールベアリング５に電食が発生するのを防止することができる。また、電磁ノイズガード９と、電動送風機の外部に露出するベアリングホルダ３とを電気的に接続するので、電磁ノイズガード９とボールベアリング５の外輪５ａとの電気的接続を簡単に図ることができる。
【００２０】
図５は、本発明の他の実施の形態の電動送風機を模式的に表した断面図である。本例の電動送風機では、電磁ノイズガード１０９がファンケース１１１の吐き出し口１１９ｂに対して設けられており、その他は図１〜図４に示す電動送風機と同じ構造を有している。そのため、本例においては、図１〜図４に示す電動送風機と同じ部材には、図１〜図４に付した符号に１００を加えた符号を付してその説明を省略する。本例の電動送風機の電磁ノイズガード１０９の２枚の金属支持板１３１，１３３は、貫通孔１３１ａ，１３３ａをそれぞれ貫通し、ファンケース１１１の四隅の対向する２つの貫通孔１１１Ｂ，１１１Ｄにそれぞれ挿入されたネジ１４７により、ファンケース１１１の吐き出し口１１９ｂ側に対して設けられている。本例の電動送風機は、吐き出し口１１９ｂ側に電磁ノイズを発生する装置が配置されている場合に用いられる。
【００２１】
図６は、本発明の更に他の実施の形態の電動送風機を模式的に表した断面図である。本例の電動送風機では、導電路部材２１７がファンハウジング２０１の外表面に沿って配置されており、その他は図１〜図４に示す電動送風機と同じ構造を有している。そのため、本例においては、図１〜図４に示す電動送風機と同じ部材には、図１〜図４に付した符号に２００を加えた符号を付してその説明を省略する。本例の電動送風機の導電路部材２１７は、ファンケース２１１の外表面に沿って配置された部分（ファンケース外部分）２４１と、４本のウエブ２１５の内の１本のウエブ２１５の外表面に沿って配置された部分（ウエブ外部分）２４３と、モータケース２１３の外表面に沿って配置された部分（モータケース外部分）２４５とを一体に有している。本例では、導電路部材２１７を金属により形成した。ファンケース外部分２４１の一端は、電磁ノイズガード２０９に接触しており、図示しない手段により接地されている。また、モータケース内部分２４５の端部２４５ａは、環状形状を有しており、ベアリングホルダ２０３の端部に接触している。このような構成により、導電路部材２１７は、電磁ノイズガード２０９とベアリングホルダ２０３とを電気的に導通可能に接続している。
【００２２】
図７は、本発明の更に別の実施の形態の電動送風機を模式的に表した断面図である。本例の電動送風機では、電磁ノイズガード３０９がファンケース３１１の吐き出し口３１９ｂに対して設けられ、導電路部材３１７がファンハウジング３０１の外表面に沿って配置されている。その他は図１〜図４に示す電動送風機と同じ構造を有している。そのため、本例においては、図１〜図４に示す電動送風機と同じ部材には、図１〜図４に付した符号に３００を加えた符号を付してその説明を省略する。本例の電動送風機の電磁ノイズガード３０９の２枚の金属支持板３３１，３３３は、貫通孔３３１ａ，３３３ａをそれぞれ貫通し、ファンケース３１１の四隅の対向する２つの貫通孔３１１Ｂ，３１１Ｄにそれぞれ挿入されたネジ３４７により、ファンケース３１１の吐き出し口３１９ｂ側に対して設けられている。本例の電動送風機の導電路部材３１７は、金属支持板３３１とベアリングホルダ３０３とを電気的に導通可能に接続している。
【００２３】
図８は、シロッコファンモータに適用した本発明の実施の形態の電動送風機を模式的に表した断面図である。本例の電動送風機では、ファンハウジング４０１は、側壁部４１１と、モータケース４１３と、底壁部４１５と有しており、絶縁樹脂の樹脂射出成形により一体に形成されている。側壁部４１１の一部は開口して吐き出し口４１１ｅを構成している。そのため、インペラ４２５は、風洞４１９内で回転すると、回転軸４２３の軸線方向に吸い込み口４１９ａから空気が入り（矢印Ｆ１）、回転軸４２３の軸線方向と直交する方向に吐き出し口４１１ｅから空気が流出する（矢印Ｆ２）。電磁ノイズガード４０９の２枚の金属支持板４３１，４３３は、貫通孔４３１ａ，４３３ａをそれぞれ貫通し、側壁部４１１の対向する２つの貫通孔４１１Ａ，４１１Ｃにそれぞれ挿入されたネジ４４７により、側壁部４１１の吸い込み口４１９ａ側に対して設けられている。また、導電路部材４１７は、側壁部４１１の側壁部内部に配置された部分（側壁内部分）４４１と、底壁部内部に配置された部分（底壁内部分）４４３と、モータケース４１３の内部に配置された部分（モータケース内部分）４４５とを一体に有している。側壁内部分４４１は、電磁ノイズガード４０９を固定するネジ４４７が挿入された２つの貫通孔４１１Ａ，４１１Ｃの内の１つの貫通孔４１１Ａを内部に形成する円筒形を有している。側壁内部分４４１の一端は、電磁ノイズガード４０９に接触しており、内部にネジ４４７が挿入されている。また、本例では、導電路部材４１７は、図示しない手段により接地されている。これにより、電磁ノイズガード４０９は接地されることになる。モータケース内部分４４５の端部４４５ａは、ベアリングホルダ４０３を囲む環状を有しており、ベアリングホルダ４０３の外周に接触している。底壁内部分４４３は、側壁内部分４４１とモータケース内部分４４５とを連結している。このような構成により、導電路部材４１７は、電磁ノイズガード４０９とベアリングホルダ４０３とを電気的に導通可能に接続している。
【００２４】
なお、電磁ノイズガードとしては、上記の各例以外の種々ものを用いることができる。例えば、図９に示すように、モータ内に指が入るのを防止するフィンガーガードを構成する電磁ノイズガード５０９を用いることもできる。本図に示す電磁ノイズガード５０９は、４つの枠骨部５０９ａと、ガード部５０９ｂとを一体に有している。ガード部５０９ｂは、４つの枠骨部５０９ａ…にそれぞれ連結された最大環状内骨部５０９ｃと、最大環状内骨部５０９ｃの内側に同心的に配置された３つの環状内骨部５０９ｄと、複数の環状内骨部５０９ｄの中心に位置する円板部５０９ｅと、円板部５０９ｅから外側に放射状に延びて枠骨部５０９ａと最大環状内骨部５０９ｃと複数の環状内骨部５０９ｄとを連結する８本の直線状内骨部５０９ｆとから構成されている。最大環状内骨部５０９ｃは、枠骨部５０９ａとの連結部が枠骨部５０９ａの長手方向の中央部に位置するように形成されている。
【００２５】
次に、本発明の実施の形態の電動送風機の効果を確認する試験を行った。図１０〜図１４は、電磁ノイズガード及び導電路部材を設けず、その他は図１〜図４に示す電動送風機と同じ構造を有する電動送風機のボールベアリングの外輪と内輪との電位差と時間との関係を示している。具体的には、図１０は、近傍に電磁ノイズを発生する装置を配置しない場合における図であり、図１１は、近傍に電磁ノイズを発生する整流器を配置した場合における図であり、図１２は、図１１の一部の時間軸の長さを拡大した図であり、図１３は、近傍に電磁ノイズを発生する整流器及びインバータを配置した場合における図であり、図１４は、図１３の一部の電位差を部分拡大した図である。
【００２６】
図１５〜図１９は、電磁ノイズガードのみを設け、導電路部材を設けず、その他は図１〜図４に示す電動送風機と同じ構造を有する電動送風機のボールベアリングの外輪と内輪との電位差と時間との関係を示している。具体的には、図１５は、近傍に電磁ノイズを発生する装置を配置しない場合における図であり、図１６は、電磁ノイズガード側の近傍に電磁ノイズを発生する整流器を配置した場合における図であり、図１７は、図１６の一部の電位差を拡大した図であり、図１８は、電磁ノイズガード側の近傍に電磁ノイズを発生する整流器及びインバータを配置した場合における図であり、図１９は、図１８の一部の電位差を拡大した図である。
【００２７】
図２０〜図２４は、図１〜図４に示す電動送風機（電磁ノイズガード及び導電路部材を設けた電動送風機）のボールベアリングの外輪と内輪との電位差と時間との関係を示している。具体的には、図２０は、近傍に電磁ノイズを発生する装置を配置しない場合における図であり、図２１は、電磁ノイズガード側の近傍に電磁ノイズを発生する整流器を配置した場合における図であり、図２２は、図２１の一部の電位差を拡大した図であり、図２３は、電磁ノイズガード側の近傍に電磁ノイズを発生する整流器及びインバータを配置した場合における図であり、図２４は、図２３の一部の電位差を拡大した図である。
【００２８】
図１０，図１５及び図２０より、近傍に電磁ノイズを発生する装置を配置しない場合には、いずれの電動送風機も外輪と内輪との電位差にそれほど大きな差がないのが分かる。しかしながら、図１６及び図２１より、電磁ノイズガード側の近傍に電磁ノイズを発生する整流器を配置した場合には、電磁ノイズガード及び導電路部材を設けた電動送風機（図２１）は、電磁ノイズガードのみを設けた電動送風機（図１６）よりも外輪と内輪との電位差を小さくできるのが分かる。さらに、図１８，図１９，図２３及び図２４より、電磁ノイズガード側の近傍に電磁ノイズを発生する整流器及びインバータを配置した場合でも、電磁ノイズガード及び導電路部材を設けた電動送風機（図２３，図２４）は、電磁ノイズガードのみを設けた電動送風機（図１９，図１９）よりも外輪と内輪との電位差を小さくできるのが分かる。
【００２９】
なお、上記各例では、２枚の金属支持板と複数本の閉ループ導体とからなる電磁ノイズガードや、フィンガーガードからなる電磁ノイズガードを用いた例を示したが、１枚の金属支持板からなる電磁ノイズガード等の種々の電磁ノイズガードを用いることができる。
【産業上の利用可能性】
【００３０】
本発明によれば、接地された電磁ノイズガードと、ボールベアリングの外輪が嵌合されたベアリングホルダまたはボールベアリングの外輪とを電気的に接続するため、ボールベアリングの外輪を接地することができる。その結果、ボールベアリングの外輪と内輪との間で電位差を小さくして、ボールベアリングに電食が発生するのを防止することができる。
【符号の説明】
【００３１】
１  ファンハウジング
３  ベアリングホルダ
５  ボールベアリング
５ａ  外輪
５ｂ  内輪
５ｃ  転動体
９  電磁ノイズガード
１１  ファンケース
１３  モータケース
１７  導電路部材
１９  風洞
１９ａ  吸い込み口
１９ｂ  吐き出し口
２３  回転軸
２５  インペラ
【図１】
2010206984.tif 000003
【図２】
2010206984.tif 000004
【図３】
2010206984.tif 000005
【図４】
2010206984.tif 000006
【図５】
2010206984.tif 000007
【図６】
2010206984.tif 000008
【図７】
2010206984.tif 000009
【図８】
2010206984.tif 000010
【図９】
2010206984.tif 000011
【図１０】
2010206984.tif 000012
【図１１】
2010206984.tif 000013
【図１２】
2010206984.tif 000014
【図１３】
2010206984.tif 000015
【図１４】
2010206984.tif 000016
【図１５】
2010206984.tif 000017
【図１６】
2010206984.tif 000018
【図１７】
2010206984.tif 000019
【図１８】
2010206984.tif 000020
【図１９】
2010206984.tif 000021
【図２０】
2010206984.tif 000022
【図２１】
2010206984.tif 000023
【図２２】
2010206984.tif 000024
【図２３】
2010206984.tif 000025
【図２４】
2010206984.tif 000026